(57)【要約】【課題】カウルトップの変形を促進することにより、車体外方から入力される荷重を低減させ歩行者保護性能を向上させること。【解決手段】樹脂製からなるカウルトップ１８は、フード１４とフロントウインドガラス１６との間に設けられるカウルトップアッパ２８と、フード１４の下方に位置するダッシュボードアッパ２２ａに支持されるカウルトップロア３０とを有し、カウルトップロア３０は、フードシール支持部３８と、車両後方に向けて窪んで形成される車両後方底壁４６を有する窪み部４０とを備え、窪み部４０とダッシュボードアッパ２２ａとの合わせ部５０は、車両後方底壁４６よりも車両前方に位置し、窪み部４０の車両後方底壁４６には、荷重が付与されたときに破断起点となる割りポイント５２が形成されている。【選択図】図２
2015077900.tif 000002
【特許請求の範囲】
【請求項１】
樹脂製からなるカウルトップは、
フードとフロントウインドガラスとの間に設けられる外面部と、
前記フードの下方に位置するダッシュボードアッパに支持される脚部と、
を有し、
前記脚部は、
フードシール支持部と、
前記フードシール支持部に連続し、車両後方に向けて窪んで形成される車両後方底壁を有する窪み部と、
を備え、
前記窪み部と前記ダッシュボードアッパとの合わせ部は、前記車両後方底壁よりも車両前方に位置することを特徴とする車両のカウルトップ構造。
【請求項２】
請求項１記載の車両のカウルトップ構造において、
前記窪み部の前記車両後方底壁には、荷重が付与されたときに破断起点となる割りポイントが形成され、
前記割りポイントは、少なくも３点以上設定されることを特徴とする車両のカウルトップ構造。
【請求項３】
請求項１又は請求項２記載の車両のカウルトップ構造において、
前記カウルトップは、車幅方向に沿った一端部に応力が集中する応力集中形状を有し、
前記一端部の近傍部位には、薄肉部が設けられることを特徴とする車両のカウルトップ構造。
【請求項４】
請求項２又は請求項３記載の車両のカウルトップ構造において、
前記カウルトップは、車両方向に沿った一側に配置される前記窪み部と、車幅方向に沿った他側に配置されワイパモータを収納するワイパモータ収納部とを有し、
前記ワイパモータ収納部の前記脚部には、ワイパモータ側の割りポイントが形成され、
前記ワイパモータ側の割りポイントと、前記窪み部の前記車両後方底壁に形成される割りポイントとは、車幅方向に沿って連続して形成されることを特徴とする車両のカウルトップ構造。
【請求項５】
請求項１乃至請求項４のいずれか１項記載の車両のカウルトップ構造において、
前記外面部と前記脚部とは、それぞれ別体で構成され、
車両後方側の前記フードシール支持部の背面には、車両後方に向かって突出する突出部が設けられ、
前記外面部の下部には、嵌合孔を有する座面が設けられ、
前記突出部を前記嵌合孔に挿入し前記突出部の頭部を溶融することで、前記外面部と前記脚部とが溶着されることを特徴とする車両のカウルトップ構造。
【発明の詳細な説明】
【技術分野】
【０００１】
本発明は、フロントウインドガラスとフードとの間に配設される車両のカウルトップ構造に関する。
【背景技術】
【０００２】
この種のカウルトップ構造に関し、例えば、特許文献１には、図８（ｂ）に示されるように、上側カウルトップ１と下側カウルトップ２とからなる上下２分割構成とし、車体外方（フード３）から入力される荷重に対して、下側カウルトップ２を切欠部４に沿って屈曲変形させることで（図８（ｂ）の二点鎖線参照）、歩行者への衝撃を緩和する技術的思想が開示されている。
【０００３】
なお、図８（ａ）は、特許文献１に開示されたカウルトップ構造を示す車両前部の斜視図、図８（ｂ）は、図８（ａ）のＶＩＩＩ−ＶＩＩＩ線に沿った拡大断面図である。特許文献１に開示されたカウルトップ構造では、下側カウルトップ２の下端部２ａがダッシュアッパパネル５の支持部６によって支持されている。
【先行技術文献】
【特許文献】
【０００４】
【特許文献１】特許第４６５０２０２号公報
【発明の概要】
【発明が解決しようとする課題】
【０００５】
ところで、特許文献１に開示されたカウルトップ構造では、下側カウルトップ２への荷重入力方向（矢印ＦＡ参照）にダッシュアッパパネル５の支持部６が設けられているため、この支持部６によって歩行者側に対し高い反力（矢印ＦＢ参照）が発生するおそれがある。
【０００６】
この反力の発生を回避するために、例えば、下側カウルトップ２の板厚を従来と比較して薄くして、下側カウルトップ２を変形し易くすることが考えられる。しかしながら、このような下側カウルトップ２の板厚を薄くすることで、フード３とフードシール７とのシール性が低下し、エンジンルーム８の密封性が低減するという他の不具合がある。
【０００７】
本発明は、前記の点に鑑みてなされたものであり、カウルトップの変形を促進することにより、車体外方から入力される荷重を低減させ歩行者保護性能を向上させることが可能な車両のカウルトップ構造を提供することを目的とする。
【課題を解決するための手段】
【０００８】
前記の目的を達成するために、本発明は、樹脂製からなるカウルトップが、フードとフロントウインドガラスとの間に設けられる外面部と、前記フードの下方に位置するダッシュボードアッパに支持される脚部と、を有し、前記脚部は、フードシール支持部と、前記フードシール支持部に連続し、車両後方に向けて窪んで形成される車両後方底壁を有する窪み部と、を備え、前記窪み部と前記ダッシュボードアッパとの合わせ部は、前記車両後方底壁よりも車両前方に位置することを特徴とする。
【０００９】
本発明によれば、窪み部の車両後方底壁が、車両後方に向けて突出するように形成され、この突出方向と直交又は略直交する荷重が入力されたとき、容易に破断して割れ易くなっている。このため、車体外方から入力される荷重を低減させ歩行者保護性能を向上させることができる。
【００１０】
また、本発明によれば、窪み部とダッシュボードアッパとの合わせ部が、窪み部の車両後方底壁よりも車両前方に離間した位置に配置されている。このため、例えば、車体外方から脚部に対して荷重が入力されたとき、車両前方の合わせ部と車両後方の車両後方底壁との離間距離だけ位置をずらす（偏位させる）ことですれ違いを発生させ、カウルトップの破断変形を促進することができる。
【００１１】
換言すると、脚部を支持するダッシュボードアッパとの合わせ部は、窪み部の車両後方底壁への荷重入力方向に位置しておらず、荷重入力方向に対して車両前方へ所定距離だけずらして配置されている。これにより、合わせ部における反力の発生を抑制することができると共に、車両後方底壁での破断を促進して荷重を好適に吸収することができる。
【００１２】
さらに、本発明によれば、脚部に窪み部を設けることで、ダッシュボードアッパを車両後方に後退して配置することができる。これにより、エンジンを車室側に近接して配置することが可能となり、車体の小型化を達成することができる。
【００１３】
さらにまた、本発明によれば、脚部の窪み部に形状剛性を持たせることができるため、歩行者との衝突時に入力される衝撃荷重よりも小さいフード支持力を増大させることができる。
【００１４】
また、本発明は、前記窪み部の前記車両後方底壁に、荷重が付与されたときに破断起点となる割りポイントが形成され、前記割りポイントは、少なくも３点以上設定されることを特徴とする。
【００１５】
本発明によれば、破断起点となる割りポイントを、少なくも３点以上設定することで、荷重入力方向にかかわらず車両後方底壁の割りポイントからカウルトップを安定的に割る（破断する）ことができる。
【００１６】
さらに、本発明は、前記カウルトップが、車幅方向に沿った一端部に応力が集中する応力集中形状を有し、前記一端部の近傍部位に、薄肉部が設けられることを特徴とする。
【００１７】
本発明によれば、応力集中形状とすることで、カウルトップの一端部に応力が集中し、この応力集中部位が割れのトリガ（引き金）となってカウルトップを割り、続いて、応力集中部位の近傍部位に設けられた薄肉部によってカウルトップの割れをさらに伸展させて、一端部から車幅方向の中央に向けてカウルトップを安定的且つ確実に割ることができる。
【００１８】
さらにまた、本発明は、前記カウルトップが、車両方向に沿った一側に配置される前記窪み部と、車幅方向に沿った他側に配置されワイパモータを収納するワイパモータ収納部とを有し、前記ワイパモータ収納部の前記脚部には、ワイパモータ側の割りポイントが形成され、前記ワイパモータ側の割りポイントと、前記窪み部の前記車両後方底壁に形成される割りポイントとは、車幅方向に沿って連続して形成されることを特徴とする。
【００１９】
本発明によれば、ワイパモータ側の割りポイントと、窪み部の車両後方底壁に形成される窪み部側の割りポイントとを連続させることで、車幅方向に沿って略直線状の割りラインが形成される。これにより、本発明では、ワイパモータの収納空間を確保しながら、割りラインに沿ってカウルトップを安定的に割ることができる。
【００２０】
さらにまた、本発明は、前記外面部と前記脚部とが、それぞれ別体で構成され、車両後方側の前記フードシール支持部の背面には、車両後方に向かって突出する突出部が設けられ、前記外面部の下部には、嵌合孔を有する座面が設けられ、前記突出部を前記嵌合孔に挿入し前記突出部の頭部を溶融することで、前記外面部と前記脚部とが溶着されることを特徴とする。
【００２１】
本発明によれば、外面部と脚部とをそれぞれ別体で構成した場合であっても、突出部を嵌合孔に挿入して突出部の頭部を溶融することで、容易に溶着することができる。また、このようにすることで、溶着することが可能な面（接合面、接合部位）の確保が容易となる。さらに、溶着部位がフードシール支持部の背面側に設けられているため、フードを開いてエンジンルームを開口させたときに溶着部位を外部から視認することが困難となり、商品デザイン性（見栄え）を向上させることができる。
【発明の効果】
【００２２】
本発明では、カウルトップの変形を促進することにより、車体外方から入力される荷重を低減させ歩行者保護性能を向上させることが可能な車両のカウルトップ構造を得ることができる。
【図面の簡単な説明】
【００２３】
【図１】本発明の実施形態に係るカウルトップ構造が適用された車両前部の斜視図である。
【図２】図１のＩＩ−ＩＩ線に沿った拡大断面図である。
【図３】図１のＩＩＩ−ＩＩＩ線に沿った拡大断面図である。
【図４】ワイパモータ側の割りポイントと、窪み部側の割りポイントとが連続する割りラインを示す車両前部の斜視図である。
【図５】（ａ）は、図１の矢印Ｚ方向から見た部分拡大矢視図、（ｂ）は、（ａ）のＶ−Ｖ線に沿った端面図である。
【図６】（ａ）は、嵌合孔に挿入された突出部の頭部を溶着する状態を示す拡大断面図、（ｂ）は、座面に形成された嵌合孔に対して突出部が挿入される状態を示す説明図である。
【図７】車体外方から付与された衝撃荷重により、窪み部の車両後方底壁に設けられた割りポイントから破断して衝撃荷重を吸収する状態を示す断面模式図である。
【図８】（ａ）は、特許文献１に開示されたカウルトップ構造を示す車両前部の斜視図、（ｂ）は、（ａ）のＶＩＩＩ−ＶＩＩＩ線に沿った拡大断面図である。
【発明を実施するための形態】
【００２４】
次に、本発明の実施形態について、適宜図面を参照しながら詳細に説明する。図１は、本発明の実施形態に係るカウルトップ構造が適用された車両前部の斜視図、図２は、図１のＩＩ−ＩＩ線に沿った拡大断面図、図３は、図１のＩＩＩ−ＩＩＩ線に沿った拡大断面図である。なお、各図中に矢印で示される、「前後」及び「上下」は、車両の前後方向及び上下方向を示し、「左右」は、運転席から見た左右方向（車幅方向）をそれぞれ示している。
【００２５】
図１及び図２に示されるように、車両１０の車両前部は、図示しないフロントボディ内のエンジンルーム１２の上部を覆うフード（ボンネット）１４と、フロントウインドガラス１６とフード１４との間に配置されるカウルトップ１８と、エンジンルーム１２と車室２０とを仕切る鋼板製のダッシュボード２２と、フロントウインドガラス１６の下端部を支持する鋼板製のウインドシールドロア２４とを備えて構成されている。
【００２６】
図２に示されるように、ダッシュボード２２は、上側に位置するダッシュボードアッパ２２ａと、下側に位置するダッシュボードロア２２ｂとによって構成されている。なお、フード１４は、図示しないフロントボディに対して開閉自在に装着されている。また、フード１４は、エンジンルーム１２に臨むフード１４の内面に装着されるボンネットレインフォースメント２６を有する。
【００２７】
カウルトップ１８は、車両１０の車両前部に配置され、車幅方向に沿って延在する樹脂製部材からなる。
【００２８】
図２に示されるように、カウルトップ１８は、カウルトップアッパ（外面部）２８とカウルトップロア（脚部）３０とを備える。カウルトップアッパ２８とカウルトップロア３０とは、それぞれ別体で構成されている。カウルトップアッパ２８は、フード１４とフロントウインドガラス１６との間に設けられ、その一部が外部に露出するように配設されている。カウルトップロア３０は、フード１４の下方に位置するダッシュボードアッパ２２ａに支持されている。
【００２９】
なお、ダッシュボードアッパ２２ａの車両後方端部２１と、ダッシュボードロア２２ｂの上方端部２３と、ウインドシールドロア２４の下端部２５は、三者がそれぞれ重畳して一体的に接合されている。
【００３０】
カウルトップアッパ２８は、車両後方に位置するガラス支持部３２を有し、ガラス支持部３２とウインドシールドロア２４の車両前方端部２７との間でフロントウインドガラス１６の下端部を挟持した状態で支持している。ガラス支持部３２とフロントウインドガラス１６との間、及び、フロントウインドガラス１６のウインドシールドロア２４の車両前方端部２７との間には、それぞれ、ガラスシール材３４が介装されている。カウルトップアッパ２８の車両前方端部２９とカウルトップロア３０の上端部３１とは、ゴム製のフードシール３６によって一体的に結合されている。フードシール３６は、ボンネットレインフォースメント２６に当接してシールすることにより、エンジンルーム１２の密封性を高める機能を有する。
【００３１】
図１に示されるように、カウルトップロア３０は、車幅方向に沿って延在し、フードシール３６を支持するフードシール支持部３８と、フードシール支持部３８に連続し、車幅方向に沿って略直線状に延在する窪み部４０とを有する。図２に示す断面において、この窪み部４０は、フードシール支持部３８から車両後方且つ下方に向けて立ち下がるように傾斜する傾斜側壁４２と、傾斜側壁４２に連続し車両後方に向けて窪んで形成されることでエンジンルーム１２側に凹部４４を形成する車両後方底壁４６と、車両後方底壁４６に連続し車両前方に向かって延在する車両前方下壁４８とから構成される。
【００３２】
窪み部４０の車両前方下壁４８とダッシュボードアッパ２２ａの上方端部３３との接続部位には、合わせ部５０が設けられる。前記接続部位は、例えば、ボルトやクリップ等で着脱自在に接合される。この合わせ部５０の中心点は、車両前後方向において、車両後方底壁４６の中心線を基点として離間距離Ｔだけ車両前方に位置する。換言すると、窪み部４０の車両後方底壁４６に設けられた後記する３つの割りポイント５２は、車両前後方向において、合わせ部５０の中心から離間距離Ｔだけ車両後方に位置するように設定されている。
【００３３】
窪み部４０の車両後方底壁４６には、荷重が付与されたときに破断起点となる複数の割りポイント（窪み部側の割りポイント）５２が略上下方向に沿って所定間隔離間して形成されている。この複数の割りポイント５２は、図２の断面において、略上下方向に延在する車両後方底壁４６の上端部に形成される第１屈曲点と、車両後方底壁４６の下端部に形成される第２屈曲点と、車両後方底壁４６の中間部で第１屈曲点と第２屈曲点との間に形成される第３屈曲点で構成されている。なお、本実施形態では、３つの割りポイント５２を例示しているが、少なくも３点以上設定されることが好ましい。
【００３４】
図４は、ワイパモータ側の割りポイントと、窪み部側の割りポイントとが連続する割りラインを示す車両前部の斜視図である。
図４に示されるように、カウルトップ１８は、車両方向に沿った一側に略水平方向に沿って直線状に配置される窪み部４０と、車幅方向に沿った他側に略水平方向に沿って直線状に配置されワイパモータ５４を収納するワイパモータ収納部５６とを有する。
【００３５】
図３に示されるように、ワイパモータ収納部５６におけるカウルトップロア３０には、ワイパモータ側の割りポイント５８が形成されている。この場合、図４の太破線で示されるように、ワイパモータ側の割りポイント５８（図４中の向かって左側）と、窪み部４０の車両後方底壁４６に形成される窪み部側の割りポイント５２（図４中の向かって右側）とが車幅方向に沿って連続し、略直線状の割りラインが形成される。図４中では、窪み部側の３つの割りポイント５２のうちのひとつの割りポイント５２を割りラインとして示している。なお、窪み部側の割りポイント５２の車幅方向に沿った幅寸法は、ワイパモータ側の割りポイント５８の車幅方向に沿った幅寸法よりも大きく設定されている。
【００３６】
図５（ａ）は、図１の矢印Ｚ方向から見た部分拡大矢視図、図５（ｂ）は、図５（ａ）のＶ−Ｖ線に沿った端面図である。
【００３７】
図１及び図５（ａ）に示されるように、カウルトップ１８は、ワイパモータ収納部５６側で車幅方向に沿った一端部６０に応力が集中する応力集中形状に形成されている。カウルトップ１８の一端部６０の近傍部位には、図５（ｂ）に示されるように、他の部位と比較して薄肉に形成された薄肉部６２が設けられている。図５（ａ）に示されるように、カウルトップ１８の一端部６０は、車両前方側に向かって突出する角部等に起因して応力が集中する応力集中部６３を有する。
【００３８】
図６（ａ）は、嵌合孔に挿入された突出部の頭部を溶着する状態を示す拡大断面図、図６（ｂ）は、座面に形成された嵌合孔に対して突出部が挿入される状態を示す説明図である。
【００３９】
図６（ｂ）に示されるように、車両後方側のフードシール支持部３８の背面には、車両後方に向かって突出する突出部６４が設けられている。カウルトップアッパ２８の下部には、略矩形状の突起片からなり、円形状の嵌合孔６６を有する座面６８が設けられている。図６（ａ）に示されるように、突出部６４を嵌合孔６６に嵌挿した状態において、突出部６４の頭部６４ａを、例えば、図示しない加熱手段で溶融することで、カウルトップアッパ２８とカウルトップロア３０とが一体的に溶着される。突出部６４及び座面６８は、カウルトップ１８の車幅方向に沿って複数設けられている。
【００４０】
なお、突出部６４の外周面には、軸方向に沿って延在し、且つ、周方向に沿って所定角度離間する複数の補強リブ７０が設けられている。この補強リブ７０を設けることで、突出部６４の剛性・強度を増大させることができる。
【００４１】
本実施形態に係るカウルトップ構造が適用された車両前部は、基本的に以上のように構成されるものであり、次にその作用効果について説明する。
【００４２】
図７は、車体外方から付与された衝撃荷重により、窪み部の車両後方底壁に設けられた割りポイントから破断して衝撃荷重を吸収する状態を示す断面模式図である。
【００４３】
例えば、車両１０が前方の図示しない対象物に接触すると、対象物が倒れてフード１４上に落下しフード１４に対して衝撃荷重Ｆが付与される。衝撃荷重Ｆがフード１４に対して付与されると、フード１４（ボンネットレインフォースメント２６）からフードシール３６、フードシール支持部３８、カウルトップロア３０の窪み部４０を構成する傾斜側壁４２、車両後方底壁４６、及び、合わせ部５０に伝達される。その際、車両後方底壁４６に伝達される衝撃荷重Ｆにより、車両後方底壁４６に設けられた割りポイント５２から破断（変形）を開始して割れが促進される（図７参照）。なお、図７では、車両後方底壁４６の最下端に位置する割りポイント５２から破断した場合を例示しているが、衝撃荷重Ｆの入力方向によっていずれかの割りポイント５２が破断の起点となるように設けられていればよい。
【００４４】
本実施形態では、図２に示されるように、窪み部４０とダッシュボードアッパ２２ａとの合わせ部５０が、窪み部４０の車両後方底壁４６よりも車両前方に離間距離Ｔだけ離間した位置に配置されている。このため、例えば、車体外方からカウルトップロア３０の窪み部４０に対して衝撃荷重Ｆが入力されたとき、車両前方の合わせ部５０と車両後方の車両後方底壁４６との離間距離Ｔだけ位置をずらす（偏位させる）ことですれ違いを発生させ、カウルトップ１８の破断変形を促進することができる。
【００４５】
換言すると、カウルトップロア３０を支持するダッシュボードアッパ２２ａとの合わせ部５０は、窪み部４０の車両後方底壁４６への荷重入力方向に位置しておらず、荷重入力方向に対して車両前方へ所定距離だけずらして配置されることにより、合わせ部５０における反力の発生を抑制することができると共に、車両後方底壁４６での破断を促進して荷重を好適に吸収することができる。
【００４６】
また、本実施形態では、窪み部４０の車両後方底壁４６が、車両後方に向けて突出するように形成され、この突出方向と直交又は略直交する荷重が入力されたとき、容易に破断して割れ易くなっている。このため、車体外方から入力される荷重を低減させ歩行者保護性能を向上させることができる。
【００４７】
さらに、本実施形態では、カウルトップロア３０に窪み部４０を設けることで、ダッシュボードアッパ２２ａを車両後方に後退して配置することができる。これにより、図示しないエンジンを車室２０側に近接して配置することが可能となり、車体の小型化を達成することができる。
【００４８】
さらにまた、本実施形態では、カウルトップロア３０の窪み部４０に形状剛性を持たせることができるため、歩行者との衝突時に入力される衝撃荷重Ｆよりも小さいフード支持力を増大させることができる。
【００４９】
さらにまた、本実施形態では、破断起点となる割りポイント５２を、少なくとも３点設定することで、衝撃荷重Ｆの入力方向に影響されることがなく、車両後方底壁４６の割りポイント５２からカウルトップ１８を安定的に割る（破断する）ことができる。
【００５０】
さらにまた、本実施形態では、応力集中形状とすることで、図５（ａ）に示されるカウルトップ１８の一端部６０の応力集中部６３に応力が集中し、この応力集中部６３が割れのトリガ（引き金）となってカウルトップ１８を割り、続いて、応力集中部６３の近傍部位に設けられた薄肉部６２によってカウルトップ１８の割れをさらに伸展させて、一端部６０から車幅方向の中央に向けてカウルトップ１８を安定的且つ確実に割ることができる。
【００５１】
さらにまた、本実施形態では、ワイパモータ側の割りポイント５８と、窪み部４０の車両後方底壁４６に形成される窪み部側の割りポイント５２とを連続させることで、車幅方向に沿って略直線状の割りラインが形成される。これにより、本実施形態では、ワイパモータ５４の収納空間を確保しながら、割りラインに沿ってカウルトップ１８を安定的に割ることができる。
【００５２】
さらにまた、本実施形態では、カウルトップアッパ２８とカウルトップロア３０とをそれぞれ別体で構成した場合であっても、突出部６４を嵌合孔６６に挿入して突出部６４の頭部６４ａを溶融することで、容易に溶着することができる。また、このようにすることで、溶着することが可能な面（接合面、接合部位）の確保が容易となる。さらに、溶着部位がフードシール支持部３８の背面側に設けられているため、フード１４を開いてエンジンルーム１２を開口させたときに溶着部位を外部から視認することが困難となり、商品デザイン性（見栄え）を向上させることができる。
【符号の説明】
【００５３】
１０    車両
１４    フード
１６    フロントウインドガラス
１８    カウルトップ
２２ａ  ダッシュボードアッパ
２８    カウルトップアッパ（外面部）
３０    カウルトップロア（脚部）
３８    フードシール支持部
４０    窪み部
４６    車両後方底壁
５０    合わせ部
５２    窪み部側の割りポイント
５４    ワイパモータ
５６    ワイパモータ収納部
５８    ワイパモータ側の割りポイント
６０    一端部
６２    薄肉部
６３    応力集中部
６４    突出部
６６    嵌合孔
６８    座面
【図１】
2015077900.tif 000003
【図２】
2015077900.tif 000004
【図３】
2015077900.tif 000005
【図４】
2015077900.tif 000006
【図５】
2015077900.tif 000007
【図６】
2015077900.tif 000008
【図７】
2015077900.tif 000009
【図８】
2015077900.tif 000010